(57)【要約】【課題】  炎を用いた光源において、炎を用いず電気的に単一或いは同時に点灯する複数の発光体で炎の様な揺らいだ光を放つことができる電飾器を提供する。【解決手段】  制御装置１はＲＡＭ３、ＲＯＭ４、演算処理部２、点灯制御部で構成され、生成された信号は点灯駆動部６を経由して発光体７を発光させる。明るさの制御は一定周期毎の点灯時間を変えることにより行い、その点灯時間を高速で連続的に変化させることで自然な明暗を作り出す。揺らぎは明暗の進行をランダムに行うことで実現し、１つの光源でありながら炎に近い揺らぎの光を作り出すことができる。【選択図】  図１
2005259669.tif 000002
【特許請求の範囲】
【請求項１】
電気的に発光する一つあるいは同時に発光する複数の発光体と、その発光体を囲むように配置された透光性の囲いとが備えられ、プログラムにより発光体の点灯時間制御するための回路と発光体を点灯させるための駆動回路とを有し、プログラムによりランダムに発生したオフセット時間を一定周期ごとにランダムに増加減少し、発光体を高速点滅させることにより明るさを連続的に変化させ、炎が揺らぐような光を放つことを特徴とする電飾器。
【請求項２】
請求項１に記載の電飾器であって、
これらを複数個並べ、別の透光性の囲いで覆うことで暖炉や焚き火のような光を放つ、展示、陳列、装飾用電飾器。
【請求項３】
請求項１に記載の電飾器であって、
覆われた透光性の囲いと接続されたアクチュエータとそれを動かすための駆動回路とを有し、光の点灯状態に同期して透光性の囲いが振動することを特徴とする電飾器。
【発明の詳細な説明】
【技術分野】
【０００１】  本発明は、炎の代わりに用いられる電気光源の点灯制御の技術分野に関する。
【背景技術】
【０００２】  従来の電気ろうそく等のゆらぎ点灯する電飾器には、それぞれ異なった点滅をする複数の発光体を同じ透光体の中に入れたものがある。
【発明の開示】
【発明が解決しようとする課題】
【０００３】  複数の発光体を利用しゆらぎをつくる方法としては、常時点灯する発光体と一定間隔或いはランダム周期で点滅する発光体を同一の透光体の中に入れる方法があるが、発光源の位置がずれてしまう上、不自然に点滅する光は心理的に癒されるには及ばなかった。【０００４】  また、点滅に周期性を持たせないために、ホワイトノイズ等のランダムな信号で発光体をＯＮ，ＯＦＦさせて発光体を複数個使用した場合も、周期性はないもののやはり不自然な発光となってしまうという難点があった。【０００５】  本発明は、このような従来の問題点に着目し、単一の発光体若しくは同時に点灯する複数の発光体群により発光源を点発光にしながら、より炎のゆらぎに近く心理的にも癒される発光を電気的に制御することを目的とする。
【課題を解決するための手段】
【０００６】  前記目的を達成するための請求項１に記載の電飾器は、
電気的に発光する一つあるいは同時に発光する複数の発光体と、その発光体を囲むように配置された透光性の囲いとが備えられ、プログラムにより発光体の点灯時間制御するための回路と発光体を点灯させるための駆動回路とを有し、プログラムによりランダムに発生したオフセット時間を一定周期ごとにランダムに増加減少し、発光体を高速点滅させることにより明るさを連続的に変化させ、炎が揺らぐような光を放つことを特徴とするものである。【０００７】  前記目的を達成するための請求項２に記載の電飾器は、
請求項１に記載の電飾器であって、これらを複数個並べ、別の透光性の囲いで覆うことで暖炉や焚き火のような光を放つ、展示、陳列、装飾用電飾器である。【０００８】  前記目的を達成するための請求項３に記載の電飾器は、
請求項１に記載の電飾器であって、覆われた透光性の囲いと接続されたアクチュエータと駆動回路とを有し、光の点灯状態に同期して透光性の囲いが振動することを特徴とするものである。
【発明の効果】
【０００９】  この発明によれば、蝋燭等の火を扱うことなく電気的に炎に近い明かりを得ることができ、火災等の心配をせず安全な小型の行灯や提灯等が実現でき、心理的にも癒される雰囲気を提供することができる。
【発明を実施するための最良の形態】
【００１０】  以下、本発明に係るゆらぎ点灯電飾器実施の最良の形態について説明する。【００１１】  図１は本願発明に係る電飾器の回路ブロック図である。一定周期における点灯時間の加算、減算値の計算及び点灯時間の増加、減少、常時点灯をランダム判定するための手順がプログラムされたＲＯＭ４、各演算を行うための演算処理部２、演算中の値を一時記憶するＲＡＭ３及び点灯制御部５とからなる制御装置１で生成された信号を点灯駆動部６およびアクチュエータ駆動部８で受け、ＬＥＤ等の発光体７、ソレノイド、コイルおよびモータ等によるアクチュエータ９で構成される。【００１２】  次に、炎のような光を放つためのプログラム手順について、図２のフローチャートおよび図３の信号波形を参照しながら説明する。【００１３】  ＬＥＤ等の発光体の明暗を制御する方法としては、数百ミリ秒以下の単位時間にＬＥＤ等の発光体が点灯する時間と消灯する時間を単位時間毎に変えることで行っている。これを図３で説明すると、（ａ）は常時ＯＦＦの状態で発光体が消えている状態、（ｂ）は常時ＯＮで発光体がもっとも明るい状態、（ｃ）は単位時間あたりのＯＮ時間が単位時間の度に増加しだんだん明るくなっていく状態、（ｄ）は単位時間あたりのＯＮ時間が単位時間の旅に減少しだんだん暗くなっていく状態を表している。【００１４】  炎のような光の点灯を制御する手順について説明すると、プログラムが起動されると初期設定（Ｓ１）の後、乱数発生（Ｓ２）を行い、次の単位時間の処理で点灯時間を減少させ暗くするのか、逆に増加させ明るくするのかが選択される（Ｓ３）。減少が選ばれた場合は減少させる時間値を乱数発生させ（Ｓ４）、点灯時間として前回単位時間の点灯時間値からＳ４で発生された減少時間値を引いた値が（Ｓ５）次の点灯時間値としてセットされる（Ｓ１１）。同様に、増加が選ばれた場合は増加させる時間値を乱数発生させ（Ｓ６）、点灯時間として前回単位時間の点灯時間値にＳ６で発生された増加時間値を加え（Ｓ７）次の点灯時間とするが（Ｓ１１）、その際加算された値が単位時間を越える時間となる場合は（Ｓ８）一定時間点灯した状態を継続した後（Ｓ９、Ｓ１０）、再び乱数発生（Ｓ２）にもどる。【００１５】  点灯時間がセットされると点灯時間に到達するまでは発光体を点灯状態に維持し、点灯時間到達後、単位時間を経過するまでは発光体は消灯状態に維持し（Ｓ１２）（Ｓ１３）（Ｓ１４）、再び乱数発生（Ｓ２）に戻りこの手順を繰り返す。【００１６】  より炎のような光に近づけるには、乱数の発生状態や増加時間値、減少時間値、点灯状態を継続する時間値等を調整していくことで感覚的に癒される状態を作り出せる。
【実施例】
【００１７】  以下、本発明の実施例について図４〜６を参照にしながら説明する。【００１８】  図４は本発明の実施例１を示すものである。【００１９】  図において１はＬＥＤ等の発光体であり、本実施例では１つの光源で構成されているが光量を上げるために複数個用いても良い。この光源は炎のような揺らぎ点灯を行うための制御基板３に電気的に配線されており、４の電池を電源として駆動する。２は透光性の囲いであり、本実施例では和紙等の提灯で使用されているものを使う。【００２０】  電源を印加すると、制御基板３によりあたかも炎が揺らいでいるように発光体１が光を放つ。その周期や揺らぎ方には規則性が無く自然な発光をし、発光体１に色相が蝋燭の炎に近いものを選択し、直接発光体１が透けて見えない程度の透光性の囲いを使用することで、蝋燭を使用した提灯の代用が可能となる。【００２１】  図５は本発明の実施例２を示すものである。【００２２】  透光性の囲い２で覆われた複数の発光体１を別の透光性の囲い１０で覆い、それぞれの発光体は異なったタイミングで揺らぎの光を放つ。【００２３】  外側に配置する透光性の囲いは、形状を炭および周辺の灰のような形状にし、炎の光を見せない部分には炭や灰の色を塗装し、裏側より実施例２に示す光を放つことで暖炉やいろりのような雰囲気を長時間安全に演出することができるので、店舗や商品のディスプレーに応用できる。【００２４】  図６は本発明の実施例３を示すものである。【００２５】  ９は木枠のフレームで、フレーム底部には電池４を電源とする制御基板３および制御基板上に電気的に接続された発光体１が配され、フレーム上部にはフレームに固定されたアクチュエータに相当するコイル６が固定され、コイル６は制御基板３に電気的に接続されている。同様にフレーム上部からばね５が吊るされ、逆端側には鉄心がつながれており、コイル６の孔の中心を通り抜け、糸８により透光性の囲い２が吊り下げられている。【００２６】  電源を印加すると発光体１が揺らぎ点灯を行い、制御基板からはその揺らぎに合わせてコイル６に電流が流され電流の強弱に合わせ鉄心６が上下動し、ばね５により動きが継続され、その動きが透光性の囲い２に伝わりゆれる。【００２７】  光の揺らぎに合わせて、透光性の囲い２が動き照射の状態が変化するので光の強弱による揺らぎに加え光の動きをも感じつることができるので、癒しの効果をより強調することができる。【００２８】  透光性の囲３を直接見せたくない場合は、フレームの周囲に別の透光性の囲いで囲むとより自然な光を得ることができる。
【図面の簡単な説明】
【００２９】
【図１】本発明の電飾器ブロック図である。
【図２】同、電飾器の動作を示すフローチャートである。
【図３】同、電飾器の点灯パターンを示すタイミングチャートである。
【図４】同、実施例１の説明図である。
【図５】同、実施例２の説明図である。
【図６】同、実施例３の説明図である。
【符号の説明】
１…発光体、２…透光性の囲い、３…制御基板、４…電池、５…ばね、６…コイル、７…鉄心、８…糸、９…木枠のフレーム
【図１】
2005259669.tif 000003
【図２】
2005259669.tif 000004
【図３】
2005259669.tif 000005
【図４】
2005259669.tif 000006
【図５】
2005259669.tif 000007
【図６】
2005259669.tif 000008